(57)【要約】      （修正有）【課題】パソコン等の器具を昇降天板から降ろす作業をしなくても天板を広く使用できる昇降天板付きデスク装置を提供する。【解決手段】昇降天板付きデスク装置は、脚体２と、脚体２に支持された天板４と、脚体２に昇降可能に支持されるとともに、昇降天板１４と昇降天板１４の下方に配置された昇降棚１５と昇降天板１４と昇降棚１５とを連結する連結体とを有する昇降体５と、を備える。昇降体５は、昇降天板１４の上面が天板４の上面と面一になって昇降棚１５が天板４の下側に隠れる退避位置と、前記退避位置よりも上昇した上昇位置と、の間で昇降可能に構成されている。【選択図】図５
0003221722.tif 000002
【実用新案登録請求の範囲】
【請求項１】
脚体と、
前記脚体に支持された天板と、
前記脚体に昇降可能に支持されるとともに、昇降天板と前記昇降天板の下方に配置された昇降棚と前記昇降天板と前記昇降棚とを連結する連結体とを有する昇降体と、を備え、
前記昇降体は、前記昇降天板の上面が前記天板の上面と面一になって前記昇降棚が前記天板の下側に隠れる退避位置と、前記退避位置よりも上昇した上昇位置と、の間で昇降可能に構成されている、
昇降天板付きデスク装置。
【請求項２】
前記昇降天板には、電気器具のプラグを差し込み可能なコンセントが設けられている、
請求項１の昇降天板付きデスク装置。
【請求項３】
前記連結体には、電気器具のプラグを差し込み可能なコンセントが設けられている、
請求項１又は２に記載の昇降天板付きデスク装置。
【請求項４】
前記昇降体を昇降させる昇降機構を更に備え、
前記昇降機構は、モータと、前記モータの回転力を前記昇降体を昇降させる力に変換して前記昇降体に伝達する伝達機構と、を有する、
請求項１〜３のいずれか１項に記載の昇降天板付きデスク装置。
【請求項５】
前記天板は、環状に形成され、
前記昇降体は、前記天板に囲まれる位置を昇降するように配置されている、
請求項１〜４のいずれか１項に記載の昇降天板付きデスク装置。
【考案の詳細な説明】
【技術分野】
【０００１】
本発明は、昇降天板付きデスク装置に関する。
【背景技術】
【０００２】
従来から、天板の高さを調節可能な昇降天板付きデスク装置が知られている（例えば、特許文献１、２参照）。特許文献１の昇降天板付きデスク装置は、第１脚体と、第２脚体と、第１脚体に高さ調節可能に支持された第１昇降天板と、第２脚体に高さ調節可能に支持された第２昇降天板と、を備える。第１昇降天板と第２昇降天板とは、それぞれ独立して高さ調節可能に構成されている。この昇降天板付きデスク装置では、例えば、第１昇降天板を立ち姿勢で使用する高い状態に設定し、第２昇降天板を着座姿勢で使用する低い状態に設定して使用される。
【０００３】
一方、特許文献２の昇降天板付きデスク装置も、天板に対して高さ調節可能な昇降天板を備える。
【先行技術文献】
【特許文献】
【０００４】
【特許文献１】特開２０１８−１２１９３５号公報
【特許文献２】特開２００５−３１２５４２号公報
【考案の概要】
【考案が解決しようとする課題】
【０００５】
特許文献１の昇降天板付きデスク装置では、例えば、第１昇降天板と第２昇降天板とを面一に高さ調節すれば、両天板を広く使用しながら作業を行うことができる。一方で、第１昇降天板にパソコンを設置した場合には、パソコンを第１昇降天板から降ろさなければ、天板を広く使用することはできない。
【０００６】
一方、特許文献２の昇降天板付きデスク装置においても、昇降天板にパソコンを設置した場合には、パソコンを昇降天板から降ろさなければ、天板を広く使用することはできない。
【０００７】
そこで、本考案は、上記の課題に基づいてなされたものであり、その目的は、パソコン等の器具を昇降天板から降ろす作業をしなくても天板を広く使用できる昇降天板付きデスク装置を提供することを目的とする。
【課題を解決するための手段】
【０００８】
本考案に係る昇降天板付きデスク装置は、脚体と、前記脚体に支持された天板と、前記脚体に昇降可能に支持されるとともに、昇降天板と前記昇降天板の下方に配置された昇降棚と前記昇降天板と前記昇降棚とを連結する連結体とを有する昇降体と、を備える。前記昇降体は、前記昇降天板の上面が前記天板の上面と面一になって前記昇降棚が前記天板の下側に隠れる退避位置と、前記退避位置よりも上昇した上昇位置と、の間で昇降可能に構成されている。
【０００９】
この構成によれば、パソコンや電話などの器具を昇降棚上に設置することができる。昇降体は、昇降天板の上面が天板の上面と面一になって前記昇降棚が前記天板の下側に隠れる退避位置と、退避位置よりも上昇した上昇位置と、の間で昇降可能に構成されている。そのため、ユーザは、昇降体を上昇位置まで上昇させた状態で、昇降棚に置かれた器具を使用して、作業を行うことができる。一方、昇降天板の上面と天板の上面とが面一になる退避位置まで昇降体を下降させたときには、昇降棚に置かれた器具が昇降天板と天板の下側に隠れる。そのため、ユーザは、器具を昇降棚から移動させなくても、天板と昇降天板とを面一の状態で広く使用することができる。したがって、昇降天板付きデスク装置の利便性が高くなる。
【００１０】
上記構成において、前記昇降天板には、電気器具のプラグを差し込み可能なコンセントが設けられていてもよい。
【００１１】
この構成によれば、例えば、天板の上に置かれたパソコンなどの電気器具のプラグを昇降天板のコンセントに差し込むことができるので、昇降体が退避位置にある状態で、パソコンなどの電気器具を昇降天板または天板に置いて使用することができる。
【００１２】
上記構成において、前記連結体には、電気器具のプラグを差し込み可能なコンセントが設けられていてもよい。
【００１３】
この構成によれば、例えば、昇降棚の上に置かれたパソコンなどの電気器具のプラグを連結体に設けられたコンセントに差し込んだ状態にしておくことができるので、昇降棚の上に置かれたパソコンなどの電気器具をいつでも利用可能にしておくことができる。
【００１４】
上記構成において、前記昇降天板付きデスク装置は、前記昇降体を昇降させる昇降機構を更に備えてもよい。前記昇降機構は、モータと、前記モータの回転力を前記昇降体を昇降させる力に変換して前記昇降体に伝達する伝達機構と、を有してもよい。
【００１５】
この構成によれば、モータを駆動すると、昇降体が昇降するので、昇降体を容易に昇降させることができる。
【００１６】
上記構成において、前記天板は、環状に形成されてもよい。前記昇降体は、前記天板に囲まれる位置を昇降するように配置されていてもよい。
【００１７】
この構成によれば、昇降体が退避位置にあるとき、昇降棚に置かれたパソコンや電話などの電気器具が天板によってユーザから見えにくくなる。そのため、ユーザは、昇降体を退避位置に下降させたときに、昇降体のない通常のデスク装置としての使用感を得やすくなる。さらに、ユーザが天板の回りに着席したときに、ユーザの足元に昇降体が存在しなくなるので、天板を取り囲むように座席を設けやすくなる。
【考案の効果】
【００１８】
本考案によれば、パソコン等の器具を昇降天板から降ろす作業をしなくても天板を広く使用できる昇降天板付きデスク装置を提供することができる。
【図面の簡単な説明】
【００１９】
【図１】本考案の実施形態に係る昇降天板付きデスク装置の昇降体が退避位置まで下降した状態を示す斜視図である。
【図２】本考案の実施形態に係る昇降天板付きデスク装置の分解斜視図である。
【図３】本考案の実施形態に係る昇降天板付きデスク装置の縦断面図である。
【図４】本考案の実施形態に係る昇降天板付きデスク装置の昇降機構を示す図である。
【図５】本考案の実施形態に係る昇降天板付きデスク装置の昇降体が退避位置から上昇位置まで上昇する様子を示す図である。
【図６】本考案の実施形態に係る昇降天板付きデスク装置の昇降体が上昇位置まで上昇した状態を示す斜視図である。
【図７】本考案の変形例に係る昇降天板付きデスク装置を示す図である。
【考案を実施するための形態】
【００２０】
以下、本考案の実施形態に係る昇降天板付きデスク装置１について、図面を参照しながら説明する。但し、以下で参照する各図は、説明の便宜上、本考案の実施形態に係る昇降天板付きデスク装置１を説明するために必要となる主要な構成要素を簡略化して示したものである。したがって、本考案の実施形態に係る昇降天板付きデスク装置１は、本明細書が参照する各図に示されていない任意の構成要素を備え得る。
【００２１】
昇降天板付きデスク装置１は、図１〜３に示すように、脚体２と、脚体２に支持された天板４と、脚体２に昇降可能に支持された昇降体５と、昇降体５を昇降させる昇降機構６と、を備える。
【００２２】
脚体２は、六角筒状に形成されている。尚、脚体２は、柱状に形成されていてもよい。この場合、天板４を水平に支持できるように、複数の脚体２が設けられる。
【００２３】
天板４は、脚体２の上端に固定されている。天板４は、六角形状の板材の中央部分に六角形状の貫通孔４ａを設けることによって環状に形成されている。貫通孔４ａの大きさは、天板４よりも小さく、かつ、昇降体５の後述する昇降天板１４と略等しい大きさに形成されている（図２参照）。尚、貫通孔４ａの形状は、特に限定されることはなく、天板４によって囲まれていれば、例えば、円形であってもよい。この場合には、昇降天板１４の形状も貫通孔４ａの形状に略等しい円形に形成される。また、天板４の外縁形状は、六角形状に限定されることはない。天板４は、例えば、五角形状の外縁形状や矩形状の外縁形状を有するように構成されてもよい。
【００２４】
昇降体５は、昇降可能に脚体２に支持されている。昇降体５は、昇降天板１４と、昇降天板１４の下方に配置された昇降棚１５と、昇降天板１４と昇降棚１５とを連結する連結体１６と、を有する。
【００２５】
昇降天板１４は、天板４の貫通孔４ａの形状に略等しい形状に形成され、貫通孔４ａ内に進入できるようになっている。昇降天板１４には、パソコンや電話などの電気器具のプラグを上方から差し込み可能なコンセントを設置するための設置口１２が設けられている。
【００２６】
昇降棚１５は、昇降天板１４の下方において昇降天板１４と平行に配置されている。昇降棚１５は、昇降天板１４と等しい大きさ及び形状に形成されている。昇降棚１５は、電気器具を載置するためのものである。昇降棚１５と昇降天板１４の上下方向の間隔は、電気器具を昇降棚１５に載置したときに、電気器具が接触しない程度に空けられる。
【００２７】
昇降棚１５には、図３に示すように、電気器具のコードを挿通可能な配線口１９が設けられている。
【００２８】
連結体１６は、上下方向に開放する六角筒状に形成されている。連結体１６は、昇降天板１４と昇降棚１５との間において配線口１９を取り囲むように配置されている。連結体１６には、電気器具のコードを接続するための複数の接続口２７が設けられている（図１、２参照）。接続口２７には、電気器具のプラグを連結体１６の外側から差し込み可能なコンセントや、ＬＡＮケーブルのプラグを接続可能なＬＡＮコネクタや、電話機などのコードを接続可能なモジュラージャックなどが設置される。
【００２９】
連結体１６のコンセントと昇降天板１４のコンセントとは、配線口１９を通る電気線によって商用電源に電気的に接続されている。これにより、電気器具のプラグがコンセントに差し込まれると、商用電源から電力がコンセントに供給されるように構成されている。尚、コンセントは、省略されてもよい。また、ＬＡＮコネクタやモジュラージャックは、配線口１９を挿通させた電話回線などに接続されている。
【００３０】
連結体１６の上端は、昇降天板１４の下面に固定されている。連結体１６の下端は、昇降棚１５の上面に固定されている。尚、連結体１６の形状は、昇降天板１４と連結体１６とを連結できれば、六角筒状に限定されることはない。連結体の１６は、例えば、円筒状に形成されてもよく、板状に形成されてもよい。
【００３１】
昇降機構６は、図３、４に示すように、モータ３６と、モータ３６の回転力を昇降体５を昇降させる力に変換して昇降体５に伝達する伝達機構と、モータ３６の駆動を制御するコントローラ（図示省略）と、モータ３６のＯＮ・ＯＦＦを切り換える昇降スイッチ（図示省略）と、を有する。
【００３２】
モータ３６は、天板４の下面に取り付けられている。モータ３６は、伝達機構の後述のシャフト２４を回転させる。
【００３３】
伝達機構は、モータ３６によって駆動されるシャフト２４と、シャフト２４の両端に固定された駆動プーリ１７と、駆動プーリ１７に従動する従動プーリ１８と、駆動プーリ１７と従動プーリ１８とに掛け渡されたベルト２１と、ベルト２１と昇降体５とを連結する連結具２２と、を有する。
【００３４】
駆動プーリ１７は、脚体２の上端から下方に凹むように形成された上端切欠部２ａに配置されている。
【００３５】
従動プーリ１８は、脚体２の下端から上方に凹むように形成された下端切欠部２ｂに配置されている。従動プーリ１８は、その回転軸が駆動プーリ１７の回転軸と平行となる向きに配置されている。
【００３６】
ベルト２１は、上端切欠部２ａと下端切欠部２ｂとを通して脚体２の内側と外側とを通るように駆動プーリ１７と従動プーリ１８に掛け渡されている（図３参照）。
【００３７】
連結具２２は、昇降棚１５の下面と、ベルト２１の脚体２の内側に位置する部分と、を連結するように昇降棚１５とベルト２１とに固定されている。これにより、モータ３６を駆動すると、ベルト２１が上下方向に移動して昇降体５が昇降する。
【００３８】
尚、図３では、一対の昇降機構６が設けられた構成を示すが、これに限られない。例えば、２対以上の昇降機構６が設けられてもよい。
【００３９】
コントローラは、脚体２の外面に取り付けられている。コントローラは、モータ３６と電気的に接続されている。コントローラは、昇降体５と天板４との間に物が挟まっている場合に、モータ３６の駆動を停止するように構成されている。すなわち、コントローラは、昇降体５と天板４との間に物が挟まったことによってモータ３６が設定以上の抵抗を受けると、モータ３６の駆動を停止するように構成されている。尚、コントローラの取付位置は、コントローラがモータ３６と電気的に接続できれば、脚体２の外面でなくてもよい。コントローラの取付位置は、例えば、天板４の下面であってもよい。
【００４０】
昇降スイッチは、天板４の下面に取り付けられている。昇降スイッチは、コントローラと電気的に接続されている。昇降スイッチは、昇降体５を上昇させるための上昇ボタン、昇降体５を下降させるための下降ボタンなどの操作ボタンが設けられている。
【００４１】
次に、上記のように構成された昇降天板付きデスク装置１の動作について説明する。
【００４２】
まず、上記昇降天板付きデスク装置１は、図１に示すように、昇降天板１４の上面が天板４の上面と面一になって昇降棚１５が天板４の下側に隠れる退避位置に初期状態として設定されている。この退避位置において、ユーザは、昇降スイッチの上昇ボタンを押すと、モータ３６が駆動して、ベルト２１が走行し、これにより、図５に示すように、昇降体５が上昇する。昇降体５が所望の位置まで上昇したところで、ユーザが上昇ボタンから手を離すと、昇降体５がその位置で停止する。すなわち、この停止位置は、退避位置よりも上昇した上昇位置となる。上昇位置は、昇降棚１５の上面が天板４の上面と面一になる位置でもよく、昇降棚１５の上面が天板４の上面よりも高くなる位置でもよい。また、上昇位置は、図６に示すように、昇降棚１５の上面が天板４の上面よりも低くなる位置でもよい。要は、上昇位置は、昇降棚１５に設置された電気器具を使用するのに適した位置であればよい。尚、昇降機構６において、退避位置に対する所定の高さ位置を上昇位置として設定しておき、昇降体５がこの上昇位置まで上昇したときに自動で止まるように構成されてもよい。
【００４３】
反対に、前記上昇位置から昇降体５を前記退避位置まで下降させるためには、ユーザは、昇降スイッチの下降ボタンを押す。このとき、ベルト２１が前記とは反対方向に移動することによって昇降体５が下降する。昇降体５が前記退避位置まで下降したところで、ユーザが停止ボタンから手を離すと、図１に示すように、昇降体５が前記退避位置で停止する。尚、昇降体５が前記退避位置まで下降したときに自動で止まるように構成されてもよい。
【００４４】
上記昇降天板付きデスク装置１では、パソコンや電話などの器具を昇降棚１５上に設置することができる。昇降体５は、昇降天板１４の上面が天板４の上面と面一になって昇降棚１５が天板４の下側に隠れる退避位置と、退避位置よりも上昇した上昇位置と、の間で昇降可能に構成されている。そのため、ユーザは、昇降体５を上昇位置まで上昇させた状態で、昇降棚１５に置かれた器具を使用して、作業を行うことができる。一方、昇降天板１４の上面と天板４の上面とが面一になる退避位置まで昇降体５を下降させたときには、昇降棚１５に置かれた器具が昇降天板１４と天板４の下側に隠れる。そのため、ユーザは、器具を昇降棚１５から移動させなくても、天板４と昇降天板１４とを面一の状態で広く使用することができるので、利便性が高い。
【００４５】
上記昇降天板付きデスク装置１では、昇降天板１４には、電気器具のプラグを上方から差し込み可能なコンセントが設けられているので、例えば、天板４の上に置かれたパソコンなどの電気器具のプラグを昇降天板１４のコンセントに差し込むことができるので、昇降体５が退避位置にある状態で、パソコンなどの電気器具を昇降天板１４または天板４に置いて使用することができる。
【００４６】
上記昇降天板付きデスク装置１では、連結体１６には、電気器具のプラグを連結体１６の外側から差し込み可能なコンセントが設けられているので、例えば、昇降棚１５の上に置かれたパソコンなどの電気器具のプラグを連結体１６に設けられたコンセントに差し込んだ状態にしておくことができるので、昇降棚１５の上に置かれたパソコンなどの電気器具をいつでも利用可能にしておくことができる。
【００４７】
上記昇降天板付きデスク装置１では、モータ３６を駆動すると、昇降体５が上昇する。そのため、昇降体を容易に昇降させることができる。
【００４８】
上記昇降天板付きデスク装置１では、昇降体５は、天板４によって囲まれる貫通孔４ａを昇降するように配置されているので、昇降体５が前記退避位置にあるとき、昇降棚１５に置かれたパソコンや電話などの電気器具が天板４によってユーザから見えにくくなる。そのため、ユーザは、昇降体５を前記退避位置に下降させたときに、昇降体５のない通常のデスク装置としての使用感を得やすくなる。さらに、ユーザが天板４の回りに着席したときに、ユーザの足元に昇降体５が存在しなくなるので、天板４を取り囲むように座席を設けやすい。
【００４９】
以上に説明した昇降天板付きデスク装置１は、本発明の一実施形態であり、その具体的構成については、本発明の趣旨を逸脱しない範囲で適宜変更可能である。以下、上記実施形態の変形例について説明する。
【００５０】
上記昇降天板付きデスク装置１は、昇降体５を昇降させる昇降機構６を備えたが、昇降機構６は、省略されてもよい。この場合、ユーザが手動で昇降体５の高さを調節することができるように構成される。例えば、昇降体５が前記退避位置と前記上昇位置になる位置において昇降棚１５を脚体２に固定できるように構成される。
【００５１】
さらに、昇降機構６のうちモータ３６が省略されてもよい。この場合には、例えば、シャフト２４を手動で回転させるための操作部材が設けられるとともに、昇降体５が前記退避位置と前記上昇位置になる位置において昇降棚１５を脚体２に固定できるように構成される。
【００５２】
また、上記昇降天板付きデスク装置１では、プーリ１７、１８とベルト２１とによる伝達機構によってモータ３６の回転力を、昇降体５を上昇させる力に変換するようにしたが、ボールねじによる螺合や、ラックとピニオンの噛合いによる伝達機構によってモータ３６の回転力を、昇降体５を上昇させる力に変換するようにしてもよい。
【００５３】
上記昇降天板付きデスク装置１では、昇降体５は、天板４に囲まれる位置を昇降するようにしたが、昇降天板１４の上面が天板４の上面と面一になったときに構成される広い天板の外縁の一部を形成する位置を昇降体５が昇降するようにしてもよい。図７の例では、広い天板における矩形状の外縁の一部を昇降天板１４が形成する位置を昇降体５が昇降している。
【符号の説明】
【００５４】
１          昇降天板付きデスク装置
２          脚体
４          天板
５          昇降体
６          昇降機構
１４        昇降天板
１５        昇降棚
１６        連結体
３６        モータ
【図１】
0003221722.tif 000003
【図２】
0003221722.tif 000004
【図３】
0003221722.tif 000005
【図４】
0003221722.tif 000006
【図５】
0003221722.tif 000007
【図６】
0003221722.tif 000008
【図７】
0003221722.tif 000009